(57)【要約】【課題】  システムの容量を十分に高めることが可能なデータ転送方法、中継装置及び無線通信システムを提供する。【解決手段】  データ転送方法は、送信元装置からのデータを受信すること、受信されたデータに対する復調や復号を行うこと、復号済みデータを符号化すること、送信元装置の変調コンスタレーションを変調の次数がより低い変調コンスタレーションに再マッピングすること、再マッピングした変調コンスタレーションに従って、符号化済みデータに対する次数下げ変調を行うこと、宛先装置へ変調済みデータを送信することを含む。【選択図】  図５
2010161759.tif 000002
【特許請求の範囲】
【請求項１】
中継装置を経由して送信元装置と宛先装置との間でデータを転送するデータ転送方法であって、
送信元装置からのデータを受信するステップと、
受信したデータに対する復調及び復号を行うステップと、
復号済みデータを符号化するステップと、
送信元装置の変調コンスタレーションを変調の次数がより低い変調コンスタレーションに再マッピングするステップと、
再マッピングした変調コンスタレーションに従って、符号化済みデータに対する次数下げ変調を行うステップと、
宛先装置へ変調済みデータを送信するステップと
を含むデータ転送方法。
【請求項２】
前記受信したデータは、前記送信元装置により、１６ＱＡＭ、６４ＱＡＭ若しくはより高い次数の変調方式、又は、変調コンスタレーションのビットの信頼性が等しくないその他の変調方式を用いて送信されたものである、請求項１に記載のデータ転送方法。
【請求項３】
送信元装置と宛先装置との間に直接の物理リンクがある場合に、
前記受信したデータが前記送信元装置により１６ＱＡＭ変調方式を用いて送信されたものであるとき、前記再マッピングのステップは、送信元装置の１６ＱＡＭコンスタレーションにおける信頼性が低い二つのビットをＱＰＳＫコンスタレーションの二つのビットにマッピングすることを含み、且つ、前記次数下げ変調のステップは、再マッピングしたＱＰＳＫコンスタレーションに従って、符号化済みデータのうち、送信元装置の１６ＱＡＭコンスタレーションの信頼性が低い二つのビットに対応する部分を変調することを含む、請求項１に記載のデータ転送方法。
【請求項４】
送信元装置と宛先装置との間に直接の物理リンクがある場合に、
前記受信したデータが前記送信元装置により６４ＱＡＭ変調方式を用いて送信されたものであるとき、前記再マッピングのステップは、送信元装置の６４ＱＡＭコンスタレーションにおける信頼性が低い四つのビットを１６ＱＡＭコンスタレーションの四つのビットにマッピングすることを含み、且つ、前記次数下げ変調のステップは、再マッピングした１６ＱＡＭコンスタレーションに従って、符号化済みデータのうち、送信元装置の６４ＱＡＭコンスタレーションの信頼性が低い四つのビットに対応する部分を変調することを含む、請求項１に記載のデータ転送方法。
【請求項５】
６４ＱＡＭコンスタレーションにおける信頼性が最も低い二つのビットを１６ＱＡＭコンスタレーションの信頼性が高いビットの位置にマッピングすると共に、６４ＱＡＭコンスタレーションにおける信頼性が中程度の二つのビットを１６ＱＡＭコンスタレーションの信頼性が低いビットの位置にマッピングすることを含む、請求項４に記載のデータ転送方法。
【請求項６】
送信元装置と宛先装置との間に直接の物理リンクがある場合に、
前記受信したデータが前記送信元装置により６４ＱＡＭ変調方式を用いて送信されたものであるとき、前記再マッピングのステップは、送信元装置の６４ＱＡＭコンスタレーションにおける信頼性が最も低い二つのビットをＱＰＳＫコンスタレーションの二つのビットにマッピングすることを含み、且つ、前記次数下げ変調のステップは、再マッピングしたＱＰＳＫコンスタレーションに従って、符号化済みデータのうち、送信元装置の６４ＱＡＭコンスタレーションの信頼性が最も低い二つのビットに対応する部分を変調することを含む、請求項１に記載のデータ転送方法。
【請求項７】
送信元装置と宛先装置との間に直接の物理リンクがなく、且つ、さらに少なくとも一つの更なる中継装置が存在する場合に、
送信元装置の変調コンスタレーションのそれぞれの星座点に含まれるビットは、その数が前記中継装置の数と同じである複数の部分に分けられ、
前記再マッピングのステップは、送信元装置の変調コンスタレーションにおけるビットの一部分を、変調の次数がより低い変調コンスタレーションにマッピングすることを含み、
当該データ転送方法は、さらに、前記少なくとも一つの更なる中継装置を介して、送信元装置からのデータのうち、送信元装置の変調コンスタレーションにおける前記一部分以外のそれぞれの部分のビットに対応する部分を次数下げ変調により宛先装置に転送するステップを含む、請求項１に記載のデータ転送方法。
【請求項８】
宛先装置から送信元装置へ送信するデータについて、送信元装置からのデータを扱う時と同様にして、前記宛先装置から受信したデータに対して、復調、復号、符号化、変調コンスタレーションの再マッピング及び次数下げ変調を行い、且つ、前記送信元装置へ変調済みデータを送信することで、前記送信元装置と宛先装置との間でデータの中継伝送を達成するステップをさらに含み、
前記宛先装置から受信したデータは、１６ＱＡＭ、６４ＱＡＭ若しくはより高い次数の変調方式、又は、変調コンスタレーションのビットの信頼性が等しくないその他の変調方式を用いて送信されたものである、請求項１乃至７の何れか一項に記載のデータ転送方法。
【請求項９】
前記中継装置は、中継技術を使用する物理的な中継局、又は、協調技術を使用するユーザ装置である、請求項１乃至８の何れか一項に記載のデータ転送方法。
【請求項１０】
送信元装置と宛先装置との間でデータを転送するための中継装置であって、
送信元装置からのデータを受信する受信器と、
前記受信器が受信したデータを復調する復調器と、
復調済みデータを復号する復号器と、
復号済みデータを符号化する符号化器と、
送信元装置の変調コンスタレーションを変調の次数がより低い変調コンスタレーションに再マッピングするコンスタレーション再マッピング器と、
再マッピングした変調コンスタレーションに従って、符号化済みデータに対する次数下げ変調を行う変調器と、
宛先装置に変調済みデータを送信する送信器と
を含む中継装置。
【請求項１１】
前記受信器が受信したデータは、前記送信元装置により１６ＱＡＭ、６４ＱＡＭ若しくはより高い次数の変調方式、又は、変調コンスタレーションのビットの信頼性が等しくないその他の変調方式を用いて送信されたものである、請求項１０に記載の中継装置。
【請求項１２】
前記コンスタレーション再マッピング器は、送信元装置と宛先装置との間に直接の物理リンクがある場合に、前記受信したデータが前記送信元装置により１６ＱＡＭ変調方式を用いて送信されたものであるとき、送信元装置の１６ＱＡＭコンスタレーションにおける信頼性が低い二つのビットをＱＰＳＫコンスタレーションの二つのビットにマッピングするように構成され、
前記変調器は、送信元装置と宛先装置との間に直接の物理リンクがある場合に、前記受信したデータが前記送信元装置により１６ＱＡＭ変調方式を用いて送信されたものであるとき、再マッピングしたＱＰＳＫコンスタレーションに従って、符号化済みデータのうち、送信元装置の１６ＱＡＭコンスタレーションの信頼性が低い二つのビットに対応する部分を変調するように構成される、請求項１０に記載の中継装置。
【請求項１３】
前記コンスタレーション再マッピング器は、送信元装置と宛先装置との間に直接の物理リンクがある場合に、前記受信したデータが前記送信元装置により６４ＱＡＭ変調方式を用いて送信されたものであるとき、送信元装置の６４ＱＡＭコンスタレーションにおける信頼性が低い四つのビットを１６ＱＡＭコンスタレーションの四つのビットにマッピングするように構成され、
前記変調器は、送信元装置と宛先装置との間に直接の物理リンクがある場合に、前記受信したデータが前記送信元装置により６４ＱＡＭ変調方式を用いて送信されたものであるとき、再マッピングした１６ＱＡＭコンスタレーションに従って、符号化済みデータのうち、送信元装置の６４ＱＡＭコンスタレーションの信頼性が低い四つのビットに対応する部分を変調するように構成される、請求項１０に記載の中継装置。
【請求項１４】
前記コンスタレーション再マッピング器は、６４ＱＡＭコンスタレーションにおける信頼性が最も低い二つのビットを１６ＱＡＭコンスタレーションの信頼性が高いビットの位置にマッピングすると共に、６４ＱＡＭコンスタレーションにおける信頼性が中程度の二つのビットを１６ＱＡＭコンスタレーションの信頼性が低いビットの位置にマッピングする、請求項１３に記載の中継装置。
【請求項１５】
前記コンスタレーション再マッピング器は、送信元装置と宛先装置との間に直接の物理リンクがある場合に、前記受信したデータが前記送信元装置により６４ＱＡＭ変調方式を用いて送信されたものであるとき、送信元装置の６４ＱＡＭコンスタレーションにおける信頼性が最も低い二つのビットをＱＰＳＫコンスタレーションの二つのビットにマッピングするように構成され、
前記変調器は、送信元装置と宛先装置との間に直接の物理リンクがある場合に、前記受信したデータが前記送信元装置により６４ＱＡＭ変調方式を用いて送信されたものであるとき、再マッピングしたＱＰＳＫコンスタレーションに従って、符号化済みデータのうち、送信元装置の６４ＱＡＭコンスタレーションの信頼性が最も低い二つのビットに対応する部分を変調するように構成される、請求項１０に記載の中継装置。
【請求項１６】
前記コンスタレーション再マッピング器は、送信元装置と宛先装置と間に直接の物理リンクがない場合に、送信元装置の変調コンスタレーションにおけるビットの一部分を、変調の次数がより低い変調コンスタレーションにマッピングするように構成される、請求項１０に記載の中継装置。
【請求項１７】
前記受信器は、さらに、前記宛先装置からのデータであって送信元装置へ送信しようとするデータを受信するように構成され、且つ、前記コンスタレーション再マッピング器は、さらに、送信元装置からのデータを扱う時と同様にして、前記宛先装置の変調コンスタレーションを変調の次数がより低い変調コンスタレーションに再マッピングするように構成され、
前記宛先装置から受信したデータは、１６ＱＡＭ、６４ＱＡＭ若しくはより高い次数の変調方式、又は、変調コンスタレーションのビットの信頼性が等しくないその他の変調方式を用いて送信されたものである、請求項１０乃至１６の何れか一項に記載の中継装置。
【請求項１８】
無線通信システムであって、
基地局と、
ユーザ装置と、
前記基地局とユーザ装置との間でデータの中継伝送を行うための一つ又は複数の請求項１０乃至１７の何れか一項に記載の中継装置と、
を含む、無線通信システム。
【請求項１９】
前記システムは、シングルホップシステムである、請求項１８に記載の無線通信システム。
【請求項２０】
前記システムは、マルチホップシステムである、請求項１８に記載の無線通信システム。
【発明の詳細な説明】
【技術分野】
【０００１】
本発明は、概して無線通信分野に関し、特に、中継技術及び／又は協調（cooperation）技術を利用したデータ転送方法、中継装置及び無線通信システムに関する。
【背景技術】
【０００２】
従来のセルラーによる無線通信システムでは、基地局（ＢＳ）とユーザ装置（ＵＥ）は、直接に通信を行うようになっている。このような通信方式では、ユーザ装置が基地局から遠い場合、例えば、ユーザ装置がセルのエッジにある場合、距離による減衰が大きい等によって、ユーザ装置のスループットが小さくなることがある。またユーザ装置が基地局から近い時には、減衰が小さいので、ユーザ装置は、往々に、大きいスループットを得ることが可能となる。例えば、図１には従来のシングルセルのセルラー通信システムの簡略化したリンク模式図を示している。
【０００３】
セル全体のスループット、特に、基地局から遠いユーザ装置のスループットを可能な限り高めるため、中継又は協調の技術を採用する技術概念は、一種のより良い技術概念である。図２は、一つの中継技術によるシングルセルのセルラー通信システムの簡略化したリンク模式図を示している。図２に示すように、下りリンクにおいて、基地局から遠いユーザについて、まず、基地局ＢＳからユーザ装置宛のデータが、中継局ＲＳとユーザ装置ＵＥに同時に受信され、その後さらに中継局ＲＳが、基地局ＢＳから受信したデータをユーザ装置に送信する。上りリンクにおいては、まず、ユーザ装置ＵＥからの基地局ＢＳ宛のデータが、中継局ＲＳと基地局ＢＳに同時に受信され、その後さらに中継局ＲＳが、ユーザ装置から受信したデータを基地局ＢＳに送信する。図３は、一つの協調技術によるシングルセルのセルラー通信システムの簡略化したリンク模式図を示している。この図から容易に分かるように、図３と図２との相違は、図２における中継局ＲＳの機能の代わりに、図３ではもう一つのユーザ装置ＵＥ２のアンテナを使用していることである。
【０００４】
図２と図３に示す状況をより良く表すため、図２と図３に示す状況をモデル化することができ、図４に示す簡易モデルが得られる。ここでは、中継又は協調技術を採用したセルラー通信システムの簡略化したリンク模式図を示す。図４に示すように、中継装置ＲＳは、送信元装置ＳＳから受信したデータを対象装置ＤＳに送信すると共に、もう一つの異なるリンクにおいて、宛先装置ＤＳから受信したデータを送信元装置ＳＳに送信する。従って、送信元装置ＳＳと宛先装置ＤＳとの間でデータに対する中継伝送が実現される。図４に示す簡易モデルにおいて、中継装置ＲＳは中継技術を採用した一つの実質的な中継器又は中継ノード（図２に示す状況に対応）であってもよく、協調技術を採用したもう一つのユーザ装置（図３に示す状況に対応）であってもよい。従って、特に断らない限り、本明細書にて使用する用語「中継」、「中継装置」等は、中継技術や協調技術を採用した状況を含む。
【０００５】
図４に示す通信システムにおいて、中継装置ＲＳが送信元装置ＳＳから送信されたデータを受信した後に、受信したデータをどのように送出するかについては、多くの特許文献又は論文等に、多種の方法が開示されている。例えば、中継装置ＲＳは、送信元装置と同じ変調方式、同じコンスタレーション及び同じ符号化方式を採用して、直接に、受信したデータを復調及び復号し、そして、符号化や変調を行った後に送出してもよく、また、中継装置ＲＳは、送信元装置と同じ変調方式及び同じ符号化方式を採用し、コンスタレーション再整列（constellation  rearrangement）技術を採用して、受信したデータを復調及び復号した後、符号化及び変調してから（このとき、再整列後のコンスタレーションを利用する）送出してもよい。これらの方法については、例えば、非特許文献１−３及び特許文献１等を参照することができる。なお、これらの文献の内容をここに援用する。
【０００６】
しかしながら、現在開示されている様々な文献を参照するに、多数の提案は、マルチホップシステム（この場合、送信元装置からユーザ装置宛のデータは複数の中継装置の転送を経る）におけるプロトコルの設計の検討、ＡＣＫ及びＮＡＣＫメッセージのフィードバック、及び／又は協調的時空間伝送等に注目している。なお、いくつかの提案は、コンスタレーション再整列技術を採用した中継装置及び／又は方法を開示しているが、そのアルゴリズムは実現するには複雑である。従って、セルのエッジにあるユーザ装置又はチャンネル条件が良好でないユーザ装置のスループットを改善し得る、実現が比較的簡単な中継装置及び／又はデータ転送方法が依然として望まれる。
【先行技術文献】
【特許文献】
【０００７】
【特許文献１】国際公開第２００６／１１９７９４号パンフレット
【非特許文献】
【０００８】
【非特許文献１】「IEEE  P802.16e/D12  −  Draft  IEEE  Standard  for  Local  and  Metropolitan  area  Networks  −  Part  16：Air  Interface  for  Fixed  and  Mobile  Broadband  Wireless  Access  Systems  −  Amendment  for  Physical  and  Medium  Access  Control  Layers  for  Combined  Fixed  and  Mobile  Operation  in  Licensed  Bands」、Institute  of  Electrical  and  Electronic  Engineers、（米国）、2005年10月
【非特許文献２】M.N.Khormuji、E.G.Larsson、「Improving  Collaborative  Transmit  Diversity  by  Using  Constellation  Rearrangement」、Wireless  Communications  and  networking  Conference  IEEE  2007
【非特許文献３】Junya  Yamazaki、Tetsu  Ikeda、Masahito  Asa、Md.Mohsin  Mollah、「Performance  of  symbol  combining  with  constellation  change  in  multihop  relay」、Vehicular  Technology  Conference,  VTC-2007  Fall
【発明の概要】
【発明が解決しようとする課題】
【０００９】
以下に、本発明のいくらかの態様についての基本的な理解のために、本発明についての概要を記述する。この概要は本発明についての全面的な概述ではないことを理解すべきである。これは、本発明のキー又は重要な部分を確定することを意図せず、また、本発明の範囲を限定することを意図しないことを理解すべきである。その目的は、ただ簡略化した形態でいくらかの概念を与えることにある。これを、後述のより詳しい記述の前書きとする。
【００１０】
従来の技術における上記の課題を解決するために、本発明の一つの目的は、実現が比較的簡単な、中継装置を経由して送信元装置と宛先装置との間でデータを転送するデータ転送方法、及び相応の中継装置を提供することにある。
【００１１】
本発明のもう一つの目的は、上記の方法を使用する及び／又は上記の中継装置を含む無線通信システムを提供することにある。
【００１２】
本発明のさらにもう一つの目的は、相応のコンピュータプログラム製品及び／又はコンピュータ読み取り可能な記憶媒体である。
【課題を解決するための手段】
【００１３】
上記の目的を実現するために、本発明の一態様によれば、中継装置を経由して送信元装置と宛先装置との間でデータを転送するデータ転送方法が提供される。当該方法は、送信元装置からのデータを受信するステップ、受信したデータに対する復調及び復号を行うステップ、復号済みデータを符号化するステップ、送信元装置の変調コンスタレーションを変調の次数がより低い変調コンスタレーションに再マッピングするステップ、再マッピングした変調コンスタレーションに従って、符号化済みデータに対する次数下げ変調を行うステップ、宛先装置に変調済みデータを送信するステップ、を含む。
【００１４】
本発明の他の一態様によれば、送信元装置と宛先装置との間でデータを転送するための中継装置が提供される。当該中継装置は、送信元装置からのデータを受信する受信器と、受信器が受信したデータを復調する復調器と、復調済みデータを復号する復号器と、復号済みデータを符号化する符号化器と、送信元装置の変調コンスタレーションを変調の次数がより低い変調コンスタレーションに再マッピングするコンスタレーション再マッピング器と、再マッピングした変調コンスタレーションに従って、符号化済みデータに対する次数下げ変調を行う変調器と、宛先装置へ変調済みデータを送信する送信器とを含む。
【００１５】
本発明の他の一態様によれば、基地局とユーザ装置と一つ又は複数の前記中継装置とを含む無線通信システムが提供される。
【００１６】
本発明の他の一態様によれば、相応のコンピュータ読み取り可能な記憶媒体及びコンピュータプログラムが提供される。
【発明の効果】
【００１７】
本発明の一つの利点は、本発明の実施形態に係るデータ転送方法及び／又は中継装置は、データ送信側からの高次数の変調符号における信頼性が低いビットに対して、データ送信側の変調コンスタレーションを再マッピングして得た変調の次数がより低い変調コンスタレーションに従った次数下げ変調を行ってから、データ受信側に転送することによって、セルのエッジにあるユーザ装置又はチャンネル条件が良好でないユーザ装置のスループットを改善することができ、システムの容量が十分に高まるようになることにある。
【００１８】
本発明のもう一つの利点は、中継装置は次数下げ変調を採用してその受信データを転送することによって、データ受信側の復調での複雑性が大幅に低減されることにある。
【００１９】
以下、本発明の最適な実施例についての詳細説明に図面を組み合わせることで、本発明のこれら及びその他の利点が、より明らかになる。
【図面の簡単な説明】
【００２０】
図面及び以下の説明を参考にするとより、本発明のより十分な理解が得られる。ここで、図面全体を通して、同じ又は類似の要素は、同じ又は類似の参照符号を用いて表すこととする。図面は、以下の詳細な説明とともに本明細書に含まれ、明細書の一部を形成し、さらに例を挙げて本発明の最良の実施形態を説明し、本発明の原理と長所を解釈するのに用いられる。
【図１】従来のシングルセルのセルラー通信システムの簡略化したリンク模式図である。
【図２】中継技術によるシングルセルのセルラー通信システムの簡略化したリンク模式図である。
【図３】協調技術によるシングルセルのセルラー通信システムの簡略化したリンク模式図である。
【図４】図２及び図３に示す通信システムをモデリングした簡易モデルの簡略化したリンク模式図である。
【図５】本発明の一つの実施例に基づいて、図４に示す通信システムにおいて中継装置ＲＳが送信元装置ＳＳから受信したデータを宛先装置ＤＳに転送する方法を示すフローチャートである。
【図６】６４値の直交振幅変調（６４ＱＡＭ）のコンスタレーションを示す図である。
【図７】１６値の直交振幅変調（１６ＱＡＭ）のコンスタレーションを示す図である。
【図８】本発明の一つの実施例に基づいて、図６に示す６４ＱＡＭコンスタレーションを再マッピングしたコンスタレーションを示す図である。
【図９】１６ＱＡＭコンスタレーション、及び本発明の一つの実施例に基づいて１６ＱＡＭコンスタレーションを再マッピングしたコンスタレーションを示す図である。
【図１０】中継装置が、送信元装置と異なるコードレートを採用して符号化するときのコードフォーマットを示す模式図である。
【図１１】典型的なマルチホップシステムを示す模式図である。
【図１２】本発明の実施例による中継装置ＲＳの構成を示すブロック図である。  当業者は、図面における要素は、単に簡便、明瞭に示したものであり、且つ、必ずしも比率どおりに描いたものではないことを理解すべきである。例えば、本発明の実施例の理解に寄与できるように、図面におけるある要素のサイズは、他の要素に対して拡大されている。
【発明を実施するための形態】
【００２１】
以下に、本発明の代表的な実施例を図面に基づいて記述する。明瞭、簡便のため、明細書には実際の実施形態の全ての特徴が記述されているわけではない。しかし、以下のことが理解されるべきであり、即ち、このような実際の実施例を開発する過程において、開発者の具体的な目標を実現するためには、実施形態に特定される多くのことを決定しなければならないことである。例えば、システムと処理に関連する様々な制限条件を満たすことであり、これらの制限条件は相違する実施形態によって変化する可能性がある。なお、開発の仕事は非常に複雑であり、時間を費やす可能性があるのだが、ここに開示している内容を利用する当業者には、このような開発の仕事は型どおりの任務だけである。
【００２２】
なお、必要以上に詳述することによって本発明が不明瞭になるのを防ぐために、図面には、本発明による方案に密接な関係がある装置構成及び／または処理ステップだけを示しており、本発明にあまり関係のないその他の詳細は省略した。
【００２３】
本発明原理の説明の便宜上、以下に、図４に示した通信システムを適用シーンとして、本発明の実施例を記述するが、当業者は、本発明は図４に示した通信システムに適用することに限定されないことを理解すべきである。
【００２４】
図５に、本発明の一実施例に基づいて、図４に示す通信システムにおいて、中継装置ＲＳが送信元装置ＳＳから受信したデータを宛先装置ＤＳにどのように転送するかという伝送方法５００のフローチャートを示す。
【００２５】
図５に示すように、中継装置ＲＳは、ステップＳ５１０において、送信元装置ＳＳからのデータを受信し、そして、ステップＳ５２０において、受信したデータに対する復調及び復号を行った後に、ステップＳ５３０において、中継装置ＲＳは、例えば、送信元装置と同じコードレートを採用して、復号済みデータを符号化することができる。
【００２６】
そして、ステップＳ５４０において、中継装置ＲＳは、送信元装置ＳＳに使用された変調コンスタレーションを再マッピングすることで、変調の次数が下げられたコンスタレーションを得る。具体的には、中継装置ＲＳは、送信元装置ＳＳに使用された変調コンスタレーションにおける信頼性が低いビットを変調の次数がより低い変調コンスタレーションにマッピングすることで、再マッピングした後の次数が低い変調コンスタレーションを得る。
【００２７】
周知のように、直交振幅変調（ＱＡＭ）等の多段変調技術の一つの固有の特徴は、ビットの信頼性が変調コンスタレーションのマッピング関係に依存しており、同一の変調符号にマッピングされたビットが、異なる信頼性を有することである。即ち、高次数の変調（例えば、１６ＱＡＭ、６４ＱＡＭ又はより高い変調次数）の場合に、一つの変調符号における異なるビット位置の信頼性が異なることである。例えば、図６に示した６４ＱＡＭコンスタレーションでは、各６４ＱＡＭ符号は６個のビットを含み、ここで、ｉ１とｑ１は、信頼性が最も高いビットであり、ｉ３とｑ３は、信頼性が最も低いビットであり、ｉ２とｑ２の信頼性は中程度である。しかし図７に示した１６ＱＡＭコンスタレーションでは、各１６ＱＡＭ符号は、４個のビットを含み、ここで、ｉ１とｑ１は信頼性が高いビットであり、ｉ２とｑ２は信頼性が低いビットである。
【００２８】
例えば、送信元装置は６４ＱＡＭ変調方式（この場合、それぞれの変調符号は６個のビットを含む）を採用すると仮定すると、再マッピングによって、図８に示す各種のコンスタレーションを得ることができる。具体的には、図６に示す６４ＱＡＭコンスタレーションを再マッピングする際に：
（１）中継装置ＲＳは、６４ＱＡＭ符号における信頼性が中程度の二つのビットｉ２とｑ２をそれぞれ１６ＱＡＭコンスタレーションの信頼性が高い二つのビットにマッピングし、６４ＱＡＭ符号における信頼性が最も低い二つのビットｉ３とｑ３をそれぞれ１６ＱＡＭコンスタレーションの信頼性が低い二つのビットにマッピングすることができ、それにより図８（ａ）に示す再マッピングした１６ＱＡＭコンスタレーション（ビットマッピング関係はｉ２ｑ２ｉ３ｑ３）を得る；又は、
（２）中継装置ＲＳは、６４ＱＡＭ符号における信頼性が最も低い二つのビットｉ３とｑ３をそれぞれ１６ＱＡＭコンスタレーションの信頼性が高い二つのビットにマッピングし、６４ＱＡＭ符号における信頼性が中程度の二つのビットｉ２とｑ２をそれぞれ１６ＱＡＭコンスタレーションの信頼性が低い二つのビットにマッピングすることができ、それにより図８（ｂ）に示す再マッピングした１６ＱＡＭコンスタレーション（ビットマッピング関係はｉ３ｑ３ｉ２ｑ２）を得る；又は、
（３）中継装置ＲＳは、６４ＱＡＭ符号における信頼性が最も低い二つのビットｉ３とｑ３をそれぞれ直交位相変移変調（ＱＰＳＫ）コンスタレーションの二つのビット（ビットマッピング関係はｉ３ｑ３）にマッピングすることができ、それにより図８（ｃ）に示す再マッピングしたＱＰＳＫコンスタレーションを得る。
【００２９】
なお、送信元装置ＳＳは１６ＱＡＭ変調方式（この場合、各変調符号は４個のビットを含む）を採用している場合には、ステップＳ５４０において、コンスタレーションの再マッピングを経た後に、１６ＱＡＭ符号の信頼性が低い二つのビットをＱＰＳＫコンスタレーションの二つのビットにマッピングすることができる。図９は、１６ＱＡＭコンスタレーション（図９（ａ））及び上述のように再マッピングされたＱＰＳＫコンスタレーション（図９（ｂ））を示している。
【００３０】
図５に戻ると、ステップＳ５４０の後に、中継装置ＲＳは、ステップＳ５５０において、ステップＳ５４０で得られた再マッピングした変調コンスタレーションに基づいて、ステップＳ５３０で符号化されたデータを変調し、即ち、その変調の次数が送信元装置のものより低い変調方式でもって、符号化されたデータのうち、送信元装置からの次数が高い変調符号における信頼性が低いビットに対応する部分を変調するが、符号化されたデータのうち、前記次数が高い変調符号における信頼性が高いビットに対応する部分が変調されて送出されることはない。
【００３１】
例えば、送信元装置ＳＳが上述のように６４ＱＡＭ変調方式を採用している場合には、中継装置ＲＳは、必要に応じて、図８（ａ）又は図８（ｂ）に示す再マッピングした１６ＱＡＭコンスタレーションに従って、符号化されたデータのうち、送信元装置からの６４ＱＡＭ符号における信頼性が低い４個のビットに対応する部分を変調するか、又は、図８（ｃ）に示す再マッピングしたＱＰＳＫコンスタレーションに従って、符号化されたデータのうち、送信元装置からの６４ＱＡＭ符号における信頼性が最も低い２個のビットに対応する部分を変調する。
【００３２】
データにより分かるように、中継装置が図８（ｂ）に示す再マッピングした１６ＱＡＭコンスタレーションに従って変調する場合、同様の条件で中継装置が図８（ａ）又は図８（ｃ）に示す変調コンスタレーションに従って変調する場合に比べて、コンスタレーション宛先装置ＤＳに受信される変調された符号における各ビットの信頼性がより均一になり、システムの容量を十分に高めるのに、より有益である。
【００３３】
次に、図５に示すように、ステップＳ５６０において、中継装置ＲＳは、宛先装置ＤＳに、変調済みデータを送信する。
【００３４】
上記のステップＳ５２０、Ｓ５３０及び／又はＳ５５０においては、勿論、実際の状況や必要に応じて、任意の既存の変調及び復調の技術及び／又は符号化及び復号の技術を採用することができるので、明細書の簡明のため、ここでは上記のステップの具体的な処理過程のさらなる記述はしない。
【００３５】
以上では、図５に示すフローチャートに基づいて、中継装置ＲＳが送信元装置ＳＳから受信したデータをどのように宛先装置ＤＳに転送するかの過程を記述したが、中継装置ＲＳは、図５に示した処理のフローと類似の方式に従って、もう一つの方向のリンクにおいて、宛先装置ＤＳから受信したデータを送信元装置ＳＳに転送することで、中継装置ＲＳを経由した送信元装置ＳＳと宛先装置ＤＳとの間でのデータ転送が実現される。
【００３６】
なお、以上では、図５に示すフローチャートに基づき、中継装置のデータ転送方法を記述したが、当業者であれば、図５に示すフローチャートは、単に例示的なものであり、本発明の範囲がこれに限定されないことが分かるはずである。勿論、当業者は、実際の必要に応じて図５に示すフローチャートを変更することが可能である。例えば、ステップＳ５２０及び／又はステップＳ５３０の前にステップＳ５４０を実行してもよく、また、ステップＳ５２０及び／又はステップＳ５３０と並列に実行してもよい。
【００３７】
例えば、上記の実施例によるデータ転送方法の一つの具体的な適用例において、送信元装置がレートが１／２の畳込みターボ符号（Convolutional  Turbo  Code；ＣＴＣ）を採用して符号化し、且つ、６４ＱＡＭ変調方式でデータを送信し、送信元装置のコードブロック長さが６０バイトであると仮定すると、送信元装置は、符号化して１２０バイトのデータを出力し、変調して１６０個の６４ＱＡＭ符号を出力することになる。中継装置は、この１６０個の６４ＱＡＭ符号を受信すると、まず、これを復調してから復号することで、６０バイトのデータを得る。復号した６０バイトのデータの全てが正確であるなら、その後、中継装置は、１／２レートのＣＴＣ符号化を行い、１２０バイトのデータを得た後に、図８に示す三つのマッピングした変調コンスタレーションに従って、６４ＱＡＭ符号の信頼性が低い四つのビット、又は、信頼性が最も低い二つのビットに対してそれぞれ１６ＱＡＭ又はＱＰＳＫ変調（即ち、次数下げ変調）を行うことができ、１６０個の１６ＱＡＭ符号又は１６０個のＱＰＳＫ符号（中継装置から送信されたそれぞれの１６ＱＡＭ符号の四つのビット又はそれぞれのＱＰＳＫ符号の二つのビットはそれぞれ送信元装置から送信されたそれぞれの６４ＱＡＭ符号の信頼性が低い四つのビット又は信頼性が最も低い二つのビットに対応する）を得て、それを宛先装置に送信する。
【００３８】
この例において、送信元装置は、１６ＱＡＭ変調方式に変えて用い、その他がそのままであり、中継装置における復号が正確な場合には、それは、同じコードレートで符号化することができ、そして、コンスタレーションの再マッピングしたＱＰＳＫコンスタレーションに従って、符号化済みデータを変調し、即ち、低次数の変調（低次数の変調の符号には１６ＱＡＭ変調符号における二つの高信頼性のビットは含まれない）を行って、変調済みデータを宛先装置に送信する。
【００３９】
中継装置に受信され、宛先装置から送信元装置に送信しようとするデータについては、中継装置は、類似の方式で宛先装置からのデータを送信元装置（このとき、図５に示した送信元装置と宛先装置とを相互に入れ替えればよい）に転送することができるはずであるので、ここでは重複して記述しない。
【００４０】
以上の、図面に基づいて記述した本発明の実施例によるデータの転送方法においては、中継装置は、送信元装置と同じコードレートで符号化するが、当業者に理解されるように、本発明の原理は、これに限定されるものではなく、例えば、中継装置は、異なるコードレートで符号化してもよい。
【００４１】
例えば、図１０には、中継装置が送信元装置と異なるコードレートで符号化する場合のコードフォーマットの模式図が示されている。図１０に示すように、１／３レートコード（それは、ＣＴＣコード（畳込みターボコード）といったターボコードのような基本的な符号化出力形式である）を例にすると、送信元装置が１／２コードレートで符号化（コードフォーマットは図１０中の（２）に示すとおり）する場合に、中継装置が２／３のコードレートで符号化するなら、即ち、中継装置がより短いコード（コードフォーマットは図１０中の（３）に示すとおり）を送信するなら、中継装置は、上述のように次数下げ変調を行うようになる。中継装置が２／５のコードレートで符号化するなら、即ち、中継装置がより長いコード（コードフォーマットは図１０中の（４）に示すとおり）を送信するなら、コードフォーマットのうち、送信元装置のコードフォーマットと完全に同じ部分、即ち、図に示すＩｎｆ．とＰａｒｉｔｙ１の部分に対して、中継装置は、上述のように次数下げ変調を行うが、コードフォーマットのうち、新たに増加した部分、即ち、図に示すＰａｒｉｔｙ２の部分に対して、中継装置は、上述のように次数下げ変調を行ってもよいし、次数下げ変調を採用しなくてもよい。例えば、変調の次数が送信元装置と同じ変調方式を採用してデータを転送してもよい。
【００４２】
ここでは図１０に基づいて、ターボコード又はＣＴＣコード符号化方式を例にして、中継装置が送信元装置と異なるコードレートで符号化する形態を記述したが、本発明の原理がこれに限定されるものでないことは当然である。当業者は、実際の状況に応じて異なるコードレートを選択して符号化して、符号化済みデータの一部分又は全部に対して次数下げ変調を行うことができる。
【００４３】
なお、以上では、図４に示すシングルホップシステムの簡易モデルを適用シーンとして、本発明の実施例による中継装置のデータ転送方法を記述したが、本発明の原理は、シングルホップシステムに適用することに限定されるものではなく、マルチホップシステムに適用することも十分可能である。
【００４４】
図１１に、一つの典型的なマルチホップシステムの模式図を示す。図１１に示すように、そのマルチホップシステムは、送信元装置ＳＳ、宛先装置ＤＳ、及びｎ個の中継装置ＲＳ１〜ＲＳｎ（ここで、ｎは自然数である）を含む。図１１において、破線は送信元装置ＳＳと宛先装置ＤＳとの間のリンク０を表す。
【００４５】
送信元装置ＳＳと宛先装置ＤＳとの間に直接の物理リンクがない場合、各中継装置ＲＳは、送信元装置のコンスタレーションにおける各変調符号の中の一部分のビットを選択して伝送することができる。例えば、送信元装置は１６ＱＡＭ変調方式でデータ送信し、各変調符号が４個のビットを含む場合、４個の中継装置を選択することができ、それぞれの中継装置はＢＰＳＫ（Binary  Phase  Shift  Keying；二相位相偏移変調）変調方式を採用して１６ＱＡＭ符号の中のそれぞれのビットに対応するデータ部分を変調し、即ち、４個の中継装置は、それぞれ１６ＱＡＭ変調符号の中のそれぞれのビットｉ１、ｑ１、ｉ２、ｑ２をそれぞれ四つのＢＰＳＫコンスタレーションにマッピングしたＢＰＳＫコンスタレーションを採用することができる。或いは、２個の中継装置を選択することができ、各中継装置は、ＱＰＳＫ変調方式を採用して１６ＱＡＭ符号の中のそれぞれ二つのビットを変調することができ、例えば、２個の中継装置は、それぞれ１６ＱＡＭ変調符号の中の二つのビットｉ１ｑ１とｉ２ｑ２をそれぞれ二つのＱＰＳＫコンスタレーションにマッピングしたＱＰＳＫコンスタレーションを採用することができる。
【００４６】
例えば、実際の適用では、基地局から遠いいくつかのユーザ装置は、相互の間のアンテナの共用（即ち、協調技術を利用）によって、基地局との正常の通信を達成することができる。この時、あるユーザ装置が基地局と通信しようとすると仮定すると、まず、それは、高次数の変調方式を採用して情報を周囲の協調ノードに送信する。その後、それぞれの協調ノードは、次数下げ変調を採用して一部分の情報を基地局に送信する。
【００４７】
しかし、送信元装置ＳＳと宛先装置ＤＳとの間に直接の物理リンクがあるなら、宛先装置に一定の品質の情報（少なくとも高信頼性のビットを高い可能性で受信することができる）を受信させることが可能になるため、各中継装置は、低次数変調方式を採用して、その受信したデータの送信側装置の高次数変調符号の中の信頼できないビットを変調すればよい。例えば、図１１に示すリンクＳＳ−ＲＳ１−ＲＳ２−ＤＳに対して、送信元装置ＳＳが６４ＱＡＭ変調方式を採用してデータを送信する場合、中継装置ＲＳ１は、上述のように１６ＱＡＭ変調方式を採用して、符号化されたデータのうち、送信元装置の６４ＱＡＭ変調符号の中の信頼性が低い四つのビットに対応する部分に対して次数下げ変調を行うことができ、中継装置ＲＳ２は、上述のようにＱＰＳＫ変調方式を採用して、符号化されたデータのうち、中継装置ＲＳ１からの１６ＱＡＭ変調符号の中の低信頼性の二つのビットに対応する部分に対して次数下げ変調を行うことができる。
【００４８】
このように、本発明の適用シーンである図４に示す簡易モデルを拡張することができ、その中の送信元装置ＳＳ又は宛先装置ＤＳは、基地局又はユーザ装置に限定されるにとどまらず、本発明の実施例による中継装置であってもよいことが分かる。つまり、前記送信元装置ＳＳ又は宛先装置ＤＳは基地局、中継装置及びユーザ装置のうちの何れであってもよい。
【００４９】
また、以上では、送信元装置ＳＳ及び／又は宛先装置ＤＳが１６ＱＡＭ又は６４ＱＡＭ変調方式を用いることを例にして、本発明の実施例によるデータ転送方法に基づいて記述したが、当業者に理解されるように、本発明の原理は、これに限定されるものではなく、送信元装置ＳＳ及び／又は宛先装置ＤＳがより高次数の変調方式（例えば、２５６ＱＡＭ等）を採用する形態に適用することができ、また、送信元装置ＳＳ及び／又は宛先装置ＤＳは、変調コンスタレーションにおけるビットの信頼性が等しくないその他の変調方式（例えば、星型８ＱＡＭ等）を採用する形態にも適用することができる。
【００５０】
図１２に、本発明の実施例による中継装置ＲＳ  １２００の構成ブロック図を示す。この中継装置ＲＳ  １２００は、以上の図面に基づいて記述した方法を実行することができ、送信元装置と宛先装置との間でのデータの中継伝送を実現する。
【００５１】
図１２に示すように、中継装置ＲＳ  １２００は、送信元装置ＳＳ及び／又は宛先装置ＤＳ（データ送信側と総称し得る）からのデータ（即ち、高次数変調のデータ）を受信するための受信器１２１０と、受信器１２１０が受信したデータを復調するための復調器１２２０と、復調済みデータを復号するための復号器１２３０と、復号済みデータを符号化するための符号化器１２４０（上記のように、符号化器１２４０は、データ送信側の符号化レートと同じ又は異なるコードレートで符号化することができる）と、データ送信側の変調コンスタレーションを変調次数がより低い変調コンスタレーションに再マッピングする、即ち、データ送信側の変調コンスタレーションの中の信頼性が低いビットを変調次数がより低い変調コンスタレーションにマッピングするためのコンスタレーション再マッピング器１２５０と、コンスタレーション再マッピング器１２５０からの再マッピングした変調コンスタレーションに従って、符号化器１２４０により符号化されたデータに対して、次数下げ変調を行う、即ち、受信されたデータの高次数変調符号の中の信頼性が低いビットに対応する部分に対して、次数下げ変調（その残余の高次数変調符号の中の高信頼性のビットに対応する部分は変調しない）を行うための変調器１２６０と、次数下げ変調済みデータを送信する、即ち、次数下げ変調済みのデータを宛先装置ＤＳ及び／又は送信元装置ＳＳ（データ受信側と総称してもよい）に送信するための送信器１２７０とを含む。
【００５２】
上述の中継装置における処理プロセスを読むことにより、中継装置１２００の上記の各部品の機能がどのように実現されるかが非常に明らかになる。従って、説明の簡明化のため、ここでは、上記の各部品の機能がどのように実現されるかは記述しない。
【００５３】
以上に記述した、本発明の実施例によるデータ転送方法及び／又は中継装置においては、変調コンスタレーションの再マッピングによって、データ送信側から受信した次数変調の符号の中の低信頼性のビットに対して次数下げ変調を行って、そして、変調済みデータを送出する。斯くして、エッジにある又はチャンネル条件が良好でないユーザ装置のスループットを改善することができ、システムの容量を十分高めることができ、データ受信側の復調の複雑性を大幅に低減することができる。
【００５４】
なお、勿論、本発明による上述の方法における各処理プロセスは、各種デバイスが読み取り可能な記憶媒体に記憶された、コンピュータで実行可能なプログラムの方式でも実現することができる。
【００５５】
そして、本発明の目的は、以下の方式によって達成することもできる。即ち、前記の実行可能なプログラムのコードを記憶している記憶媒体を、システム又はデバイスに直接又は間接に提供し、当該システム又はデバイスにおけるコンピュータ又は中央処理装置（ＣＰＵ）が、前記のプログラムのコードを読み出し、実行する。
【００５６】
この場合に、当該システム又はデバイスはプログラムを実行する機能を有すればよく、本発明の実施方式はプログラムに限定されず、そして、当該プログラムは任意の形式であってもよい。例えば、オブジェクトプログラム、インタプリタにより実行されるプログラム又は操作システムに提供するシナリオプログラム等である。
【００５７】
これらのデバイスが読み取り可能な記憶媒体は、各種メモリやメモリセル、半導体デバイス、例えば光、磁気及び光磁気ディスク等のディスクユニット、並びに情報を記憶するのに適するその他の媒体等を含むが、それらに限定されるものではない。
【００５８】
また、コンピュータが、インターネットにおける相応するウェブサイトに接続して、本発明によるコンピュータのプログラムのコードをコンピュータにダウンロードし、インストールしてから当該プログラムを実行することによっても、本発明を実現することができる。
【００５９】
そして、前記の本発明を実施するプログラムは、例えば、一つ又はより多くの信号の形態を採用してもよい。前記信号は、インターネットにおけるウェブサイトからダウンロードしたデータ信号であってよく、又は、キャリア信号において提供されたデータ信号であってよく、或いは、任意のその他の形式によるデータ信号であってよい。
【００６０】
最後に、本出願には、例えば、左や右、第一や第二等という関係用語は、単に一つの実体又は操作を他の実体又は操作から区別するため用いられたものであり、これら実体又は操作間に何らかの実際の関係又は順序があることを要求又は暗示するものではない。そして、“有する”、“含む”又は如何なるその他の変形も、非排他的な「含む」をカバーする意味である。従って、一連の要素を含む過程、方法、物品又はデバイスは、それらの要素を含むだけではなく、明確に記載されていないその他の要素も含み、或いは、このような過程、方法、物品又はデバイスに固有の要素も含む。より多くの制限がない場合には、「一つの……を含む」の言葉で限定される要素は、この要素を含む過程、方法、物品又はデバイスに、更なるその他の同様な要素が存在することを排除するものではない。
【００６１】
以上、本発明の実施例について図面に基づいて詳細に記述したが、理解されるように、上述の実施の形態は、本発明を単に説明するものであり、本発明を限定するものではない。当業者であれば、本発明の主旨と範囲から逸脱しない範囲で、前記の実施の形態に対する各種の修正と変更を行うことができる。このため、本発明の範囲は、添付の特許請求の範囲及びその均等の意味によって限定されるだけである。
【００６２】
以上の説明に関し、更に以下の付記を開示する。
（付記１）
中継装置を経由して送信元装置と宛先装置との間でデータを転送するデータ転送方法であって、
送信元装置からのデータを受信するステップと、
受信したデータに対する復調及び復号を行うステップと、
復号済みデータを符号化するステップと、
送信元装置の変調コンスタレーションを変調の次数がより低い変調コンスタレーションに再マッピングするステップと、
再マッピングした変調コンスタレーションに従って、符号化済みデータに対する次数下げ変調を行うステップと、
宛先装置へ変調済みデータを送信するステップと
を含むデータ転送方法。
（付記２）
前記受信したデータは、前記送信元装置により、１６ＱＡＭ、６４ＱＡＭ若しくはより高い次数の変調方式、又は、変調コンスタレーションのビットの信頼性が等しくないその他の変調方式を用いて送信されたものである、付記１に記載のデータ転送方法。
（付記３）
送信元装置と宛先装置との間に直接の物理リンクがある場合に、
前記受信したデータが前記送信元装置により１６ＱＡＭ変調方式を用いて送信されたものであるとき、前記再マッピングのステップは、送信元装置の１６ＱＡＭコンスタレーションにおける信頼性が低い二つのビットをＱＰＳＫコンスタレーションの二つのビットにマッピングすることを含み、且つ、前記次数下げ変調のステップは、再マッピングしたＱＰＳＫコンスタレーションに従って、符号化済みデータのうち、送信元装置の１６ＱＡＭコンスタレーションの信頼性が低い二つのビットに対応する部分を変調することを含む、付記１に記載のデータ転送方法。
（付記４）
送信元装置と宛先装置との間に直接の物理リンクがある場合に、
前記受信したデータが前記送信元装置により６４ＱＡＭ変調方式を用いて送信されたものであるとき、前記再マッピングのステップは、送信元装置の６４ＱＡＭコンスタレーションにおける信頼性が低い四つのビットを１６ＱＡＭコンスタレーションの四つのビットにマッピングすることを含み、且つ、前記次数下げ変調のステップは、再マッピングした１６ＱＡＭコンスタレーションに従って、符号化済みデータのうち、送信元装置の６４ＱＡＭコンスタレーションの信頼性が低い四つのビットに対応する部分を変調することを含む、付記１に記載のデータ転送方法。
（付記５）
６４ＱＡＭコンスタレーションにおける信頼性が最も低い二つのビットを１６ＱＡＭコンスタレーションの信頼性が高いビットの位置にマッピングすると共に、６４ＱＡＭコンスタレーションにおける信頼性が中程度の二つのビットを１６ＱＡＭコンスタレーションの信頼性が低いビットの位置にマッピングすることを含む、付記４に記載のデータ転送方法。
（付記６）
送信元装置と宛先装置との間に直接の物理リンクがある場合に、
前記受信したデータが前記送信元装置により６４ＱＡＭ変調方式を用いて送信されたものであるとき、前記再マッピングのステップは、送信元装置の６４ＱＡＭコンスタレーションにおける信頼性が最も低い二つのビットをＱＰＳＫコンスタレーションの二つのビットにマッピングすることを含み、且つ、前記次数下げ変調のステップは、再マッピングしたＱＰＳＫコンスタレーションに従って、符号化済みデータのうち、送信元装置の６４ＱＡＭコンスタレーションの信頼性が最も低い二つのビットに対応する部分を変調することを含む、付記１に記載のデータ転送方法。
（付記７）
送信元装置と宛先装置との間に直接の物理リンクがなく、且つ、さらに少なくとも一つの更なる中継装置が存在する場合に、
送信元装置の変調コンスタレーションのそれぞれの星座点に含まれるビットは、その数が前記中継装置の数と同じである複数の部分に分けられ、
前記再マッピングのステップは、送信元装置の変調コンスタレーションにおけるビットの一部分を、変調の次数がより低い変調コンスタレーションにマッピングすることを含み、
当該データ転送方法は、さらに、前記少なくとも一つの更なる中継装置を介して、送信元装置からのデータのうち、送信元装置の変調コンスタレーションにおける前記一部分以外のそれぞれの部分のビットに対応する部分を次数下げ変調により宛先装置に転送するステップを含む、付記１に記載のデータ転送方法。
（付記８）
前記再マッピングのステップは、前記復調及び復号のステップ、及び／又は前記符号化のステップの前に実行される、或いは、前記復調及び復号のステップ、及び／又は前記符号化のステップと並列に実行される、付記１乃至７の何れか一に記載のデータ転送方法。
（付記９）
宛先装置から送信元装置へ送信するデータについて、送信元装置からのデータを扱う時と同様にして、前記宛先装置から受信したデータに対して、復調、復号、符号化、変調コンスタレーションの再マッピング及び次数下げ変調を行い、且つ、前記送信元装置へ変調済みデータを送信することで、前記送信元装置と宛先装置との間でデータの中継伝送を達成するステップをさらに含み、
前記宛先装置から受信したデータは、１６ＱＡＭ、６４ＱＡＭ若しくはより高い次数の変調方式、又は、変調コンスタレーションのビットの信頼性が等しくないその他の変調方式を用いて送信されたものである、付記１乃至８の何れか一に記載のデータ転送方法。
（付記１０）
前記符号化のステップにおいて、前記受信したデータの送信側と同じ又は異なるコードレートで符号化する、付記１乃至９の何れか一に記載のデータ転送方法。
（付記１１）
前記中継装置は、中継技術を使用する物理的な中継局、又は、協調技術を使用するユーザ装置である、付記１乃至１０の何れか一に記載のデータ転送方法。
（付記１２）
前記送信元装置及び／又は前記宛先装置は、基地局、中継装置及びユーザ装置から選択される、付記１乃至１１の何れか一に記載のデータ転送方法。
（付記１３）
送信元装置と宛先装置との間でデータを転送するための中継装置であって、
送信元装置からのデータを受信する受信器と、
前記受信器が受信したデータを復調する復調器と、
復調済みデータを復号する復号器と、
復号済みデータを符号化する符号化器と、
送信元装置の変調コンスタレーションを変調の次数がより低い変調コンスタレーションに再マッピングするコンスタレーション再マッピング器と、
再マッピングした変調コンスタレーションに従って、符号化済みデータに対する次数下げ変調を行う変調器と、
宛先装置に変調済みデータを送信する送信器と
を含む中継装置。
（付記１４）
前記受信器が受信したデータは、前記送信元装置により１６ＱＡＭ、６４ＱＡＭ若しくはより高い次数の変調方式、又は、変調コンスタレーションのビットの信頼性が等しくないその他の変調方式を用いて送信されたものである、付記１３に記載の中継装置。
（付記１５）
前記コンスタレーション再マッピング器は、送信元装置と宛先装置との間に直接の物理リンクがある場合に、前記受信したデータが前記送信元装置により１６ＱＡＭ変調方式を用いて送信されたものであるとき、送信元装置の１６ＱＡＭコンスタレーションにおける信頼性が低い二つのビットをＱＰＳＫコンスタレーションの二つのビットにマッピングするように構成され、
前記変調器は、送信元装置と宛先装置との間に直接の物理リンクがある場合に、前記受信したデータが前記送信元装置により１６ＱＡＭ変調方式を用いて送信されたものであるとき、再マッピングしたＱＰＳＫコンスタレーションに従って、符号化済みデータのうち、送信元装置の１６ＱＡＭコンスタレーションの信頼性が低い二つのビットに対応する部分を変調するように構成される、付記１３に記載の中継装置。
（付記１６）
前記コンスタレーション再マッピング器は、送信元装置と宛先装置との間に直接の物理リンクがある場合に、前記受信したデータが前記送信元装置により６４ＱＡＭ変調方式を用いて送信されたものであるとき、送信元装置の６４ＱＡＭコンスタレーションにおける信頼性が低い四つのビットを１６ＱＡＭコンスタレーションの四つのビットにマッピングするように構成され、
前記変調器は、送信元装置と宛先装置との間に直接の物理リンクがある場合に、前記受信したデータが前記送信元装置により６４ＱＡＭ変調方式を用いて送信されたものであるとき、再マッピングした１６ＱＡＭコンスタレーションに従って、符号化済みデータのうち、送信元装置の６４ＱＡＭコンスタレーションの信頼性が低い四つのビットに対応する部分を変調するように構成される、付記１３に記載の中継装置。
（付記１７）
前記コンスタレーション再マッピング器は、６４ＱＡＭコンスタレーションにおける信頼性が最も低い二つのビットを１６ＱＡＭコンスタレーションの信頼性が高いビットの位置にマッピングすると共に、６４ＱＡＭコンスタレーションにおける信頼性が中程度の二つのビットを１６ＱＡＭコンスタレーションの信頼性が低いビットの位置にマッピングする、付記１６に記載の中継装置。
（付記１８）
前記コンスタレーション再マッピング器は、送信元装置と宛先装置との間に直接の物理リンクがある場合に、前記受信したデータが前記送信元装置により６４ＱＡＭ変調方式を用いて送信されたものであるとき、送信元装置の６４ＱＡＭコンスタレーションにおける信頼性が最も低い二つのビットをＱＰＳＫコンスタレーションの二つのビットにマッピングするように構成され、
前記変調器は、送信元装置と宛先装置との間に直接の物理リンクがある場合に、前記受信したデータが前記送信元装置により６４ＱＡＭ変調方式を用いて送信されたものであるとき、再マッピングしたＱＰＳＫコンスタレーションに従って、符号化済みデータのうち、送信元装置の６４ＱＡＭコンスタレーションの信頼性が最も低い二つのビットに対応する部分を変調するように構成される、付記１３に記載の中継装置。
（付記１９）
前記コンスタレーション再マッピング器は、送信元装置と宛先装置と間に直接の物理リンクがない場合に、送信元装置の変調コンスタレーションにおけるビットの一部分を、変調の次数がより低い変調コンスタレーションにマッピングするように構成される、付記１３に記載の中継装置。
（付記２０）
前記受信器は、さらに、前記宛先装置からのデータであって送信元装置へ送信しようとするデータを受信するように構成され、且つ、前記コンスタレーション再マッピング器は、さらに、送信元装置からのデータを扱う時と同様にして、前記宛先装置の変調コンスタレーションを変調の次数がより低い変調コンスタレーションに再マッピングするように構成され、
前記宛先装置から受信したデータは、１６ＱＡＭ、６４ＱＡＭ若しくはより高い次数の変調方式、又は、変調コンスタレーションのビットの信頼性が等しくないその他の変調方式を用いて送信されたものである、付記１３乃至１９の何れか一に記載の中継装置。
（付記２１）
前記符号化器は、前記受信したデータの送信側と同じ又は異なるコードレートで符号化する、付記１３乃至２０の何れか一に記載の中継装置。
（付記２２）
当該中継装置は、中継技術を使用する物理的な中継局、又は、協調技術を使用するユーザ装置である、付記１３乃至２１の何れか一に記載の中継装置。
（付記２３）
前記送信元装置及び／又は前記宛先装置は、基地局、中継装置及びユーザ装置から選択される、付記１３乃至２２の何れか一に記載の中継装置。
（付記２４）
無線通信システムであって、
基地局と、
ユーザ装置と、
前記基地局とユーザ装置との間でデータの中継伝送を行うための一つ又は複数の付記１３乃至２２の何れか一に記載の中継装置と、
を含む、無線通信システム。
（付記２５）
前記システムは、シングルホップシステムである、付記２４に記載の無線通信システム。
（付記２６）
前記システムは、マルチホップシステムである、付記２４に記載の無線通信システム。
（付記２７）
送信元装置と宛先装置と間に直接の物理リンクがない場合に、前記無線通信システムは、少なくとも二つの前記中継装置を含み、基地局及び／又はユーザ装置の変調コンスタレーションにおける各星座点に含まれるビットのいずれも、その数が前記中継装置の数と同じである複数の部分に分けられ、各中継装置は、次数下げ変調を採用して、基地局とユーザ装置との間で、それぞれ、受信したデータのうち、データの送信側の変調コンスタレーションにおける各部分のビットに対応する部分を転送するように構成される、付記２５に記載の無線通信システム。
【符号の説明】
【００６３】
ＢＳ    基地局
ＵＥ    ユーザ装置
ＲＳ    中継装置
ＳＳ    送信元装置
ＤＳ    宛先装置
１２００    中継装置
１２１０    受信器
１２２０    復調器
１２３０    復号器
１２４０    符号化器
１２５０    コンスタレーション再マッピング器
１２６０    変調器
１２７０    送信器
【図５】
2010161759.tif 000003
【図１１】
2010161759.tif 000004
【図１２】
2010161759.tif 000005
【図１】
2010161759.tif 000006
【図２】
2010161759.tif 000007
【図３】
2010161759.tif 000008
【図４】
2010161759.tif 000009
【図６】
2010161759.tif 000010
【図７】
2010161759.tif 000011
【図８】
2010161759.tif 000012
【図９】
2010161759.tif 000013
【図１０】
2010161759.tif 000014